(57)【要約】【課題】作業者が作業を中断することなく充填モードの切り替えを行うことができるとともに、作業者が充填モードの切り替えの時間を気にすることなく作業に集中できる空気圧縮機を提供する。【解決手段】空気圧縮機１０の充填モードを設定する充填モード設定手段１４０を備え、前記充填モードとして、少なくとも、通常モードと、前記通常モードよりもモータ１２の回転数を抑制した静音モードと、前記通常モードと前記静音モードとを所定の条件に従って自動的に切り替える切替モードと、を備えるようにした。【選択図】図４
2015017556.tif 000002
【特許請求の範囲】
【請求項１】
圧縮空気を生成して貯留可能な空気圧縮機であって、
圧縮空気を生成するためのシリンダを備えた圧縮機構と、
前記圧縮機構を駆動させるモータと、
前記モータを制御する駆動制御手段と、
空気圧縮機の充填モードを設定する充填モード設定手段と、
を備え、
前記充填モードとして、少なくとも、通常モードと、前記通常モードよりも前記モータの回転数を抑制した静音モードと、前記通常モードと前記静音モードとを所定の条件に従って自動的に切り替える切替モードと、を備えることを特徴とする、空気圧縮機。
【請求項２】
時計機能を有する時間計測手段を備え、
前記充填モード設定手段は、前記切替モードを設定する際に前記所定の条件としての予約時間を設定可能であることを特徴とする、請求項１記載の空気圧縮機。
【請求項３】
周囲の明るさを検知する光センサを備え、
前記光センサの検知結果を前記所定の条件として使用することを特徴とする、請求項１記載の空気圧縮機。
【請求項４】
前記所定の条件が達成されたことを報知する報知手段を備えることを特徴とする、請求項１〜３のいずれかに記載の空気圧縮機。
【請求項５】
前記充填モード設定手段は、前記所定の条件を曜日や日付を指定して設定可能であることを特徴とする、請求項１〜４のいずれかに記載の空気圧縮機。
【発明の詳細な説明】
【技術分野】
【０００１】
この発明は、複数の充填モードを備えた空気圧縮機に関し、特に、充填モードの切替方法に特徴を有する空気圧縮機に関する。
【背景技術】
【０００２】
この種の可搬性のある空気圧縮機は、住宅密集地の店舗等の改装などに使用されることがある。このような環境で使用する場合に、特に夕方や夜間の作業では、極力作動音を小さくすることが求められる。このような要請を満たす空気圧縮機として、「通常モード」よりもモータの回転数を押えて作動音を小さくことが可能な「静音モード」を備えたものが知られている。こうした空気圧縮機を使用すれば、例えば昼間は「通常モード」などのモードを使用して効率よく作業を行い、夕方や夜間になったら「静音モード」に切り替えて作動音を抑えて作業を行うことができる。
【０００３】
しかしながら、このような充填モードの切り替えを実行するためには空気圧縮機の操作パネルに設けられたスイッチを操作する必要があるため、作業を中断してスイッチを操作しなければならなかった。特に、階上や屋根上などで作業を行っている場合には、空気圧縮機のある場所まで移動することは作業者にとって手間であった。
【０００４】
これに関連する技術として、例えば、特許文献１には、遠隔装置（リモコン）でモードを切り替え可能な空気圧縮機が開示されている。このような空気圧縮機によれば、空気圧縮機のある場所まで移動しなくてもモードを切り替えることができるので、作業者の負担を軽減することができる。
【先行技術文献】
【特許文献】
【０００５】
【特許文献１】特開２００５−０２３９４１号公報
【発明の概要】
【発明が解決しようとする課題】
【０００６】
しかし、上記した特許文献１記載の方法では、空気圧縮機と作業者との位置関係によっては無線などが届かず、切替を行うことができないという問題があった。
また、作業中に常にリモコンを持っていなければならず、紛失の可能性もあった。
また、従来と同様に、作業者は作業モードを切り替えるタイミングを意識して作業を行わなければならないため、作業に集中できない要因となる場合もあった。
【０００７】
そこで、本発明は、作業者が作業を中断することなく充填モードの切り替えを行うことができるとともに、作業者が充填モードの切り替えの時間を気にすることなく作業に集中できる空気圧縮機を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
すなわち、請求項１に記載の空気圧縮機は、圧縮空気を生成して貯留可能な空気圧縮機であって、圧縮空気を生成するためのシリンダを備えた圧縮機構と、前記圧縮機構を駆動させるモータと、前記モータを制御する駆動制御手段と、空気圧縮機の充填モードを設定する充填モード設定手段と、を備え、前記充填モードとして、少なくとも、通常モードと、前記通常モードよりも前記モータの回転数を抑制した静音モードと、前記通常モードと前記静音モードとを所定の条件に従って自動的に切り替える切替モードと、を備えることを特徴とする。
【００１０】
（請求項２）
請求項２に記載の発明は、上記した請求項１記載の発明の特徴点に加え、以下の点を特徴とする。
すなわち、時計機能を有する時間計測手段を備え、前記充填モード設定手段は、前記切替モードを設定する際に前記所定の条件としての予約時間を設定可能であることを特徴とする。
【００１１】
（請求項３）
請求項３に記載の発明は、上記した請求項１記載の発明の特徴点に加え、以下の点を特徴とする。
すなわち、周囲の明るさを検知する光センサを備え、前記光センサの検知結果を前記所定の条件として使用することを特徴とする。
【００１２】
（請求項４）
請求項４に記載の発明は、上記した請求項１〜３のいずれかに記載の発明の特徴点に加え、以下の点を特徴とする。
すなわち、前記所定の条件が達成されたことを報知する報知手段を備えることを特徴とする。
【００１３】
（請求項５）
請求項５に記載の発明は、上記した請求項１〜４のいずれかに記載の発明の特徴点に加え、以下の点を特徴とする。
すなわち、前記充填モード設定手段は、前記所定の条件を曜日や日付を指定して設定可能であることを特徴とする。
【発明の効果】
【００１４】
請求項１に記載の発明は上記の通りであり、空気圧縮機の充填モードを設定する充填モード設定手段を備え、前記充填モードとして、少なくとも、通常モードと、前記通常モードよりも前記モータの回転数を抑制した静音モードと、前記通常モードと前記静音モードとを所定の条件に従って自動的に切り替える切替モードと、を備えている。すなわち、切替モードを使用することで、予め設定した条件で自動的に充填モードが切り替えられるので、充填モードの切り替えに際して作業者が作業を中断する必要がない。また、作業者が充填モードを切り替えるタイミングを作業中に意識する必要がないので、作業者は作業に集中することができる。
【００１５】
また、請求項２に記載の発明は上記の通りであり、前記充填モード設定手段は、前記切替モードを設定する際に前記所定の条件としての予約時間を設定可能であるので、たとえば、作業者が作業現場において作業を開始するときに、静かにするべき時間を見こして予め静音モードにするべき予約時間を設定しておくことで、設定した時間がくれば自動的に充填モードを切り替えることができる。
【００１６】
また、請求項３に記載の発明は上記の通りであり、周囲の明るさを検知する光センサを備え、前記光センサの検知結果を前記所定の条件として使用するので、特別な設定処理を行わなくても夕方や夜間になれば自動的に充填モードが切り替わるようにすることができる。
【００１７】
また、請求項４に記載の発明は上記の通りであり、前記所定の条件が達成されたことを報知する報知手段を備えるので、充填モードが切り替わったことを作業者が認識することができる。
【００１８】
また、請求項５に記載の発明は上記の通りであり、前記充填モード設定手段は、前記所定の条件を曜日や日付を指定して設定可能であるので、例えば夏と冬とで充填モードの切り替え時間を変えるなどの自由な設定が可能となる。
【図面の簡単な説明】
【００１９】
【図１】空気圧縮機の（ａ）平面図、（ｂ）側面図である。
【図２】空気圧縮機の内部構成を示すブロック図である。
【図３】操作パネルのイメージ図である。
【図４】モード切替処理のフロー図である。
【図５】変形例１に係るモード切替処理のフロー図である。
【図６】変形例２に係るモード切替処理のフロー図である。
【発明を実施するための形態】
【００２０】
本実施形態に係る可搬性のある空気圧縮機１０は、圧縮空気を生成して貯留可能に形成されており、図１に示すように、圧縮空気を生成するためのシリンダを備えた圧縮機構１１と、前記圧縮機構１１によって生成した圧縮空気を貯留するためのタンク１４と、を備えている。
【００２１】
圧縮機構１１は、空気圧縮機１０に内蔵されたモータ１２によって駆動されるものであり、圧縮ピストンをシリンダ内で往復動させることでシリンダ内に導入された空気を圧縮するものである。このようにシリンダ内で圧縮された圧縮空気はタンク１４に送られて貯留される。貯留された圧縮空気は、エア取り出し部１３に接続された外部機器（例えば圧縮空気式の打ち込み工具）に供給されて使用される。
【００２２】
空気圧縮機１０の上面には、図１（ａ）及び図３に示すように、操作パネル１５が設けられている。この操作パネル１５は、空気圧縮機１０を操作するための各種のボタンや、空気圧縮機１０の状態を表示するためのＬＥＤ等を備えている。
【００２３】
この空気圧縮機１０の動作は、空気圧縮機１０に内蔵された制御装置１００（図２参照）によって制御される。制御装置１００は、特に図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、各種の入力装置及び出力装置を制御するように構成されている。
【００２４】
（入力装置）
制御装置１００の入力装置としては、図２に示すように、温度検出手段２０、圧力検出手段２１、電流検出手段２２、電圧検出手段２３、モータ回転数検出手段２４、光センサ２５、電源スイッチ３０、充填モード切替スイッチ３１、運転モード切替スイッチ３２が設けられている。なお、入力装置としては、この図１に示す入力装置に限定されず、他の入力装置を備えていてもよい。
【００２５】
（温度検出手段２０）
温度検出手段２０は、制御装置１００を構成するインバータ基板の周囲温度を測定する温度センサである。この温度検出手段２０が測定した温度は、制御装置１００に信号として出力され、空気圧縮機１０の状態を確認するために使用される。
【００２６】
（圧力検出手段２１）
圧力検出手段２１は、タンク１４内の圧力を検出するためのものであり、具体的にはタンク１４内に設けられた圧力センサである。この圧力検出手段２１で計測された圧力値は、制御装置１００に信号として出力されて処理される。
【００２７】
（電流検出手段２２）
電流検出手段２２は、モータ１２に供給される電流値を測定するためのものである。この電流検出手段２２で計測された電流値は、制御装置１００に信号として出力されて処理される。
【００２８】
（電圧検出手段２３）
電圧検出手段２３は、空気圧縮機１０への入力電圧を検出するためのものである。この電圧検出手段２３で計測された電圧値は、制御装置１００に信号として出力されて処理される。
【００２９】
（モータ回転数検出手段２４）
モータ回転数検出手段２４は、モータ１２の回転数を検出するものであり、例えば角位置センサなどで構成される。このモータ回転数検出手段２４で計測された回転数は、制御装置１００に信号として出力されて処理される。
【００３０】
（光センサ２５）
光センサ２５は、空気圧縮機１０が設置された周囲の明るさを検知するためのものであり、例えば夕方や夜間に周囲が暗くなったことを検知するために使用される。この光センサ２５で計測された計測値は、制御装置１００に信号として出力されて処理される。
【００３１】
（電源スイッチ３０）
電源スイッチ３０は、空気圧縮機１０を起動するためのスイッチであり、上述した操作パネル１５に配設されている。この電源スイッチ３０が押下されて空気圧縮機１０が起動すると、圧縮機構１１が作動して圧縮空気がタンク１４に貯留され、空気圧縮機１０を使用可能な状態となる。
【００３２】
（充填モード切替スイッチ３１）
充填モード切替スイッチ３１は、空気圧縮機１０の充填モードを設定するためのスイッチである。すなわち、本実施形態に係る空気圧縮機１０は、使用環境に合わせてモータ１２の回転数の制御範囲を変更可能となっており、充填モード切替スイッチ３１を押下することでモータ１２の回転数の制御範囲を設定できるようになっている。本実施形態に係る空気圧縮機１０は、充填モードとして、通常モードと、前記通常モードよりも前記モータ１２の回転数を抑制した静音モードと、前記通常モードよりも前記モータ１２の回転数を上げた急速充填モードと、前記通常モード（又は前記急速充填モード）と前記静音モードとを所定の条件に従って切り替える切替モードと、を備えている。充填モード切替スイッチ３１の押下が検出されると、その押下信号は制御装置１００（後述する充填モード設定手段１４０）に出力されて処理される。
【００３３】
（運転モード切替スイッチ３２）
運転モード切替スイッチ３２は、空気圧縮機１０の運転モードを設定するためのスイッチである。すなわち、本実施形態に係る空気圧縮機１０は、使用目的に合わせて圧力制御範囲を変更可能となっており、運転モード切替スイッチ３２を押下することでこの圧力制御範囲を任意の範囲に設定できるようになっている。例えば、タンク１４内の圧力を１．１〜１．５ＭＰａとするか、２．５〜３．０ＭＰａとするか、３．２〜４．０ＭＰａとするか、３．９〜４．４ＭＰａとするか、を選択して設定できるようになっている。運転モード切替スイッチ３２の押下が検出されると、その押下信号は制御装置１００（後述する運転モード設定手段１５０）に出力されて処理される。
【００３４】
（出力装置）
制御装置１００の出力装置としては、図２に示すように、モータ１２と、電源表示ＬＥＤ３５と、充填モード表示ＬＥＤ３６と、運転モード表示ＬＥＤ３７と、吐出レベルＬＥＤ３８と、表示手段３９と、報知手段４０と、が設けられている。なお、出力装置としては、この図２に示す出力装置に限定されず、他の出力装置を備えていてもよい。
【００３５】
（モータ１２）
モータ１２は、上述したように、圧縮機構１１を駆動させて圧縮ピストンをシリンダ内で往復動させるものである。このモータ１２は、制御装置１００（後述する駆動制御手段１１０）によって駆動制御されることで、圧縮動作を開始したり停止したりするように形成されている。
【００３６】
（電源表示ＬＥＤ３５）
電源表示ＬＥＤ３５は、前述した電源スイッチ３０が押下されて空気圧縮機１０が起動している場合に点灯するものである。また、電源スイッチ３０が押下されて空気圧縮機１０がシャットダウンされている場合には消灯する。
【００３７】
（充填モード表示ＬＥＤ３６）
充填モード表示ＬＥＤ３６は、前述した充填モード切替スイッチ３１が押下されて選択された充填モードを表示するためのものである。
【００３８】
（運転モード表示ＬＥＤ３７）
運転モード表示ＬＥＤ３７は、前述した運転モード切替スイッチ３２が押下されて選択された運転モードを表示するためのものである。
【００３９】
（吐出レベルＬＥＤ３８）
吐出レベルＬＥＤ３８は、空気圧縮機１０の状態をチェックした結果、吐出レベルが低下するような状況であると判断された場合に点滅するものである。
【００４０】
（表示手段３９）
表示手段３９は、圧力検出手段２１が検出したタンク１４内の圧力値などを表示するためのものである。本実施形態においては、２桁の７セグメントディスプレイが用いられており、数値をデジタル表示できるようになっている。
なお、表示手段３９は３桁以上の７セグメントディスプレイであってもよいし、７セグメントディスプレイに限らず高画素数のディスプレイ（タッチパネル含む）であってもよい。
【００４１】
（報知手段４０）
報知手段４０は、空気圧縮機１０のエラーなどを報知する手段である。例えば、ブザーなどの聴覚表示を行う装置や、ＬＥＤなどの視覚表示を行う装置である。
【００４２】
（制御装置１００）
次に、制御装置１００について詳述する。
制御装置１００は、上記した各種装置を制御するものであり、駆動制御手段１１０、時間計測手段１２０、記憶手段１３０、充填モード設定手段１４０、運転モード設定手段１５０、などの各手段として機能する。
なお、制御装置１００としては、上記した各手段に限定されるものではなく、他の手段を含んでいても良い。
【００４３】
（駆動制御手段１１０）
駆動制御手段１１０は、モータ１２を制御することにより、圧縮機構１１による圧縮動作を制御するためのプログラムである。この駆動制御手段１１０は、圧力検出手段２１が検出したタンク１４内の空気圧力を参照し、タンク１４内の空気圧力が適切な圧力となるようにモータ１２の作動をオン・オフする。
【００４４】
具体的には、圧縮機構１１の駆動を開始させるためのオン圧と、圧縮機構１１の駆動を停止させるためのオフ圧とが予め決められており、駆動制御手段１１０は、圧力検出手段２１が検出したタンク１４内の空気圧力がこのオン圧またはオフ圧に到達したか否かを判定し、到達した場合にモータ１２の作動をオン・オフする。
【００４５】
このとき、オン圧及びオフ圧は、後述する運転モード設定手段１５０によって設定された運転モードによって決定される。例えば圧力制御範囲を３．２〜４．０ＭＰａとする運転モードの場合、３．２ＭＰａがオン圧となり、４．０ＭＰａがオフ圧となる。この場合、タンク１４内の圧縮空気が使用され、タンク１４内の圧力が３．２ＭＰａ（オン圧）まで低下したら、タンク１４内の圧力が４．０ＭＰａ（オフ圧）になるまでモータ１２を作動させて空気を圧縮する。この動作を繰り返すことで、タンク１４内の空気圧力が適切な圧力となるように制御する。
【００４６】
なお、圧縮動作を行う際のモータ１２を回転数は、後述する充填モード設定手段１４０によって設定された充填モードによって決定される。例えば、モータ１２の回転速度は、通常モードであれば最大２９００ｍｉｎ＾−１に制限され、静音モードであれば最大１８００ｍｉｎ＾−１に制限され、急速充填モードであれば最大３４００ｍｉｎ＾−１に制限されるように制御される。このような制御により、例えば夜間や住宅街での作業時には静音モードを使用することで騒音を抑制することができ、また、圧縮空気を早く使用したい場合などは急速充填モードを使用することで時間を短縮することができるようになっている。
【００４７】
（時間計測手段１２０）
時間計測手段１２０は、所定のタイミングからの時間を測定するための手段である。例えばＣＰＵタイマなどを使用して構成される。
【００４８】
（記憶手段１３０）
記憶手段１３０は、不揮発性のメモリを備えて構成され、プログラムやデータを記憶している。
【００４９】
（充填モード設定手段１４０）
充填モード設定手段１４０は、空気圧縮機１０の充填モードを設定するためのものである。具体的には、充填モード切替スイッチ３１の押下が検出されたときに、その押下信号を受信し、充填モードを切り替える処理を実行する。充填モード設定手段１４０によって設定された充填モードは記憶手段１３０などに記憶され、駆動制御手段１１０によるモータ１２の駆動制御に使用される。
【００５０】
（運転モード設定手段１５０）
運転モード設定手段１５０は、空気圧縮機１０の運転モードを設定するためのものである。具体的には、運転モード切替スイッチ３２の押下が検出されたときに、その押下信号を受信し、運転モードを切り替える処理を実行する。運転モード設定手段１５０によって設定された運転モードは記憶手段１３０などに記憶され、駆動制御手段１１０によるモータ１２の駆動制御に使用される。
【００５１】
（モード切替処理の実行フロー）
次に、本実施形態に係るモード切替処理について具体的に説明する。
本実施形態に係る空気圧縮機１０は、上述したように、他の充填モードと静音モードとを所定の条件に従って切り替える切替モードを備えている。以下に説明する例では、充填モード設定手段１４０は、切替モードを設定する際に前記所定の条件としての予約時間を設定可能となっている。これにより、切替モードを設定することで時間計測手段１２０による時間計測が開始され、設定した予約時間が到来すると静音モードに切り替える処理を行う。このモード切替処理について、図４のフローを参照しながら説明する。
【００５２】
まず、図４に示すステップＳ１００において、充填モード切替スイッチ３１が押下され、押下信号が充填モード設定手段１４０に出力される。ステップＳ１０１に進む。
【００５３】
ステップＳ１０１では、充填モード設定手段１４０が、充填モード切替スイッチ３１の押下に伴って充填モードを遷移させる。具体的には、充填モード切替スイッチ３１の捜査状況に応じて、現在の充填モードを「通常モード」「静音モード」「急速充填モード」「切替モード」のいずれかに設定する。そして、ステップＳ１０２に進む。
【００５４】
ステップＳ１０２では、遷移後の充填モードが「切替モード」であるかがチェックされる。充填モードが「切替モード」でない場合には、ステップＳ１０３へ進み、設定された充填モードで運転する。一方、充填モードが「切替モード」である場合には、ステップＳ１０４に進む。
【００５５】
ステップＳ１０４では、充填モード切替スイッチ３１又は運転モード切替スイッチ３２の押下が解除されてから（スイッチの押下信号が途絶えてから）５秒以内に運転モード切替スイッチ３２が操作されたかをチェックする。運転モード切替スイッチ３２が押下された場合には、ステップＳ１０５へ進む。一方、運転モード切替スイッチ３２が押下されていない場合には、ステップＳ１０６に進む。
【００５６】
ステップＳ１０５へ進んだ場合、静音モードに切り替える予約時間を進める処理を行う。本実施形態おいては、運転モード切替スイッチ３２が押下されるごとに、「８ｈ」→「９ｈ」→「１０ｈ」→「１１ｈ」→「１２ｈ」→「ＣＬ（クリア）」→「１ｈ」→「２ｈ」→「３ｈ」→「４ｈ」→「５ｈ」→「６ｈ」→「７ｈ」→（以後繰り返し）のように予約時間が進められ、表示手段３９に表示される。そして、５秒間スイッチ操作が検出されなくなったら、ステップＳ１０６に進む。
ステップＳ１０６では、表示手段３９に表示された時間で予約時間を確定する。そして、ステップＳ１０７に進む。
【００５７】
ステップＳ１０７では、設定されたモード（例えば通常モード）で運転する。また、運転開始と同時に時間計測手段１２０によって時間計測を開始する。そして、ステップＳ１０８に進む。
【００５８】
ステップＳ１０８では、時間計測手段１２０の計測結果を参照し、設定した予約時間が経過するまで待機する。そして設定した予約時間が経過したら、ステップＳ１０９に進む。
【００５９】
ステップＳ１０９では、充填モードを通常モードから静音モードに切り替えて運転する。このとき、報知手段４０は、充填モードが切り替わったことを作業者に報知する。
【００６０】
このような制御によれば、たとえば、作業者が作業現場において作業を開始するときに、静かにするべき時間（夕方から暗くなってくる時間帯や昼食時の時間帯等）を見こして予め静音モードにするべき予約時間を運転モード切替スイッチ３２によって設定しておくことで作業者が操作したり意識したりしなくても、設定した時間がくれば自動的に充填モードを切り替えて静音モードで運転させることができるため、作業現場の周囲の環境を考慮しながら作業ができる。
（変形例１に係るモード切替処理の実行フロー）
次に、変形例１に係るモード切替処理について具体的に説明する。
【００６１】
この変形例１と上記した実施形態との相違は、切替モードにおける所定の条件の違いである。すなわち、上記した実施形態では所定の条件として予約時間を設定することとしたが、これに代えて、本変形例では光センサ２５の検知結果を前記所定の条件として使用する点で相違する。このモード切替処理について、図５のフローを参照しながら説明する。
【００６２】
まず、図５に示すステップＳ２００において、充填モード切替スイッチ３１が押下され、押下信号が充填モード設定手段１４０に出力される。ステップＳ２０１に進む。
【００６３】
ステップＳ２０１では、充填モード設定手段１４０が、充填モード切替スイッチ３１の押下に伴って充填モードを遷移させる。そして、ステップＳ２０２に進む。
【００６４】
ステップＳ２０２では、遷移後の充填モードが「切替モード」であるかがチェックされる。充填モードが「切替モード」でない場合には、ステップＳ２０３へ進み、設定された充填モードで運転する。一方、充填モードが「切替モード」である場合には、ステップＳ２０４に進む。
ステップＳ２０４では、設定されたモード（例えば通常モード）で運転する。そして、ステップＳ２０５に進む。
【００６５】
ステップＳ２０５では、光センサ２５の検出結果が予め定められた所定の閾値以下になるまで待機する。そして光センサ２５の検出結果が所定の閾値以下になったら、ステップＳ２０６に進む。
【００６６】
ステップＳ２０６では、充填モードを通常モードから静音モードに切り替えて運転する。このとき、報知手段４０は、充填モードが切り替わったことを作業者に報知する。
このような制御によれば、特別な設定処理を行わなくても夕方や夜間になれば自動的に充填モードが切り替わるようにすることができる。
（変形例２に係るモード切替処理の実行フロー）
次に、変形例２に係るモード切替処理について具体的に説明する。
【００６７】
この変形例２と上記した実施形態との相違は、切替モードにおける所定の条件の設定方法の違いである。すなわち、上記した実施形態では所定の条件として予約時間だけを設定することとしたが、本変形例では予約時間を曜日や日付を指定して設定可能とした点で相違する。このモード切替処理について、図６のフローを参照しながら説明する。
【００６８】
まず、図６に示すステップＳ３００において、充填モード切替スイッチ３１が押下され、押下信号が充填モード設定手段１４０に出力される。ステップＳ３０１に進む。
【００６９】
ステップＳ３０１では、充填モード設定手段１４０が、充填モード切替スイッチ３１の押下に伴って充填モードを遷移させる。そして、ステップＳ３０２に進む。
【００７０】
ステップＳ３０２では、遷移後の充填モードが「切替モード」であるかがチェックされる。充填モードが「切替モード」でない場合には、ステップＳ３０３へ進み、設定された充填モードで運転する。一方、充填モードが「切替モード」である場合には、ステップＳ３０４に進む。
【００７１】
ステップＳ３０４では、充填モード切替スイッチ３１又は運転モード切替スイッチ３２の押下が解除されてから（スイッチの押下信号が途絶えてから）５秒以内に運転モード切替スイッチ３２が操作されたかをチェックする。５秒以内に運転モード切替スイッチ３２が押下された場合には、ステップＳ３０５へ進む。一方、５秒以内に運転モード切替スイッチ３２が押下されていない場合には、ステップＳ３０６に進む。
【００７２】
ステップＳ３０５へ進んだ場合、設定方法を遷移させる処理を行う。例えば、運転モード切替スイッチ３２が押下されるごとに、「毎日設定」→「曜日設定」→「日付設定」→「月設定」→（以後繰り返し）のように設定方法が進められ、表示手段３９に表示される。そして、５秒間スイッチ操作が検出されなくなったら、ステップＳ３０６に進む。
ステップＳ３０６では、表示手段３９に表示された設定方法を確定し、スケジュール設定を開始する。
【００７３】
具体的には、「毎日設定」の場合には、図４のステップＳ１０４〜１０６と同様の処理を行うことで、予約時間を設定する。また、「曜日設定」の場合には、曜日毎に（または複数の曜日を指定して）予約時間を設定する処理を行う。また、「日付設定」の場合には、日付毎に（または複数の日付を指定して）予約時間を設定する処理を行う。また、「月設定」の場合には、月毎に（または複数の月を指定して）予約時間を設定する処理を行う。そして、ステップＳ３０７に進む。
【００７４】
ステップＳ３０７では、スケジュールした条件で運転する。例えば、「毎日設定」の場合には、毎日決まった予約時間で充填モードを切り替える。また、「曜日設定」の場合には、曜日毎に設定された予約時間を参照して充填モードを切り替える。また、「日付設定」の場合には、日付毎に設定された予約時間を参照して充填モードを切り替える。また、「月設定」の場合には、月毎に設定された予約時間を参照して充填モードを切り替える。
このような制御によれば、設定の自由度が増すため、例えば夏と冬とで充填モードの切り替え時間を変えるなどの自由な設定が可能となる。
【００７５】
（まとめ）
以上説明したように、本実施形態によれば、空気圧縮機１０の充填モードを設定する充填モード設定手段１４０を備え、前記充填モードとして、少なくとも、通常モードと、前記通常モードよりも前記モータ１２の回転数を抑制した静音モードと、前記通常モードと前記静音モードとを所定の条件に従って切り替える切替モードと、を備えている。すなわち、切替モードを使用することで、予め設定した条件で自動的に充填モードが切り替えられるので、充填モードの切り替えに際して作業者が作業を中断する必要がない。また、作業者が充填モードを切り替えるタイミングを作業中に意識する必要がないので、作業者は作業に集中することができる。
【符号の説明】
【００７６】
１０  空気圧縮機
１１  圧縮機構
１２  モータ
１３  エア取り出し部
１４  タンク
１５  操作パネル
２０  温度検出手段
２１  圧力検出手段
２２  電流検出手段
２３  電圧検出手段
２４  モータ回転数検出手段
２５  光センサ
３０  電源スイッチ
３１  充填モード切替スイッチ
３２  運転モード切替スイッチ
３５  電源表示ＬＥＤ
３６  充填モード表示ＬＥＤ
３７  運転モード表示ＬＥＤ
３８  吐出レベルＬＥＤ
３９  表示手段
４０  報知手段
１００  制御装置
１１０  駆動制御手段
１２０  時間計測手段
１３０  記憶手段
１４０  充填モード設定手段
１５０  運転モード設定手段
【図１】
2015017556.tif 000003
【図２】
2015017556.tif 000004
【図３】
2015017556.tif 000005
【図４】
2015017556.tif 000006
【図５】
2015017556.tif 000007
【図６】
2015017556.tif 000008